(57)【特許請求の範囲】
【請求項１】
内視鏡に供給し被写体を照明するための照明光を発光するランプと、
前記照明光を前記内視鏡の先端まで導く光ファイバへ入射する際の光量を調整する絞り手段と、
前記絞り手段の絞り量を検出する絞り位置検知手段と、
前記照明光の最大光量を入射することのできる高輝度モード対応の光ファイバか、前記照明光を減光してから入射しなくてはならない通常モード対応の光ファイバかの光ファイバの種類を検出する光ファイバ検出手段と、
前記絞り手段による減光を行う際の基準となる減光量設定手段と、
前記内視鏡により得られた内視鏡画像の明るさ信号及び所定の明るさ設定信号に基づき前記被写体での照明量が一定となるように前記絞り手段を駆動する自動調光手段と、
前記被写体への照明量が一定となるように前記所定の明るさ設定信号に基づき前記絞り手段を駆動する手動調光手段と、
前記自動調光手段による調光と前記手動調光手段による調光とを選択する調光選択手段と、
前記自動調光手段及び前記手動調光手段の前記所定の明るさ設定信号を設定する明るさ設定手段と、
前記明るさ設定手段の出力と前記減光量設定手段の出力とを比較した結果、前記明るさ設定手段の設定する前記絞り手段の絞りの位置が前記減光量設定手段による設定位置より開く側にあると判断された場合に、前記減光量設定手段の出力に切り換え、閉じる側にあると判断された場合に、前記手動調光手段の出力に切り換える第１の切り換え手段と、
前記絞り位置検知手段の出力と前記減光量設定手段の出力とを比較した結果、前記絞り手段の絞りの位置が前記減光量設定手段による設定位置より閉じる側にあると判断された場合に、前記自動調光手段の出力に切り換え、開く側にあると判断された場合に、前記第１の切り換え手段の出力に切り換える第２の切り換え手段と、
前記光ファイバ検出手段の検出結果及び前記調光選択手段の選択結果に基づき、前記第１の切り換え手段及び第２の切り換え手段の切り換え制御を行う切り換え制御手段と、
を備えたことを特徴とする内視鏡用光源装置。
【請求項２】
前記切り換え制御手段は、前記光ファイバの種類が高輝度モード対応で、且つ、前記調光選択手段で前記自動調光手段が選択されている時、
前記第１の切り換え手段の出力を前記減光量設定手段の出力に切り換え、前記第２の切り換え手段の出力を前記自動調光手段の出力に切り換えることを特徴とする請求項１に記載の内視鏡用光源装置。
【請求項３】
前記切り換え制御手段は、前記光ファイバの種類が通常モード対応で、且つ、前記調光選択手段で前記自動調光手段が選択されている時、
前記第１の切り換え手段の出力を前記減光量設定手段の出力に切り換え、前記絞り位置検知手段の出力と前記減光量設定手段の出力とを比較した結果に基づき前記第２の切り換え手段の出力を切り換えることを特徴とする請求項１に記載の内視鏡用光源装置。
【請求項４】
前記切り換え制御手段は、前記光ファイバの種類が高輝度モード対応で、且つ、前記調光選択手段で前記手動調光手段が選択されている時、
前記第１の切り換え手段の出力を前記手動調光手段の出力に切り換え、前記第２の切り換え手段の出力を前記第１の切り換え手段の出力に切り換えることを特徴とする請求項１に記載の内視鏡用光源装置。
【請求項５】
前記切り換え制御手段は、前記光ファイバの種類が通常モード対応で、且つ、前記調光選択手段で前記手動調光手段が選択されている時、
前記第２の切り換え手段の出力を前記第１の切り換え手段の出力に切り換え、前記明るさ設定手段の出力と前記減光量設定手段の出力とを比較した結果に基づき前記第１の切り換え手段の出力を切り換えることを特徴とする請求項１に記載の内視鏡用光源装置。
【発明の詳細な説明】
【０００１】
【発明の属する技術分野】
本発明は高輝度モード及び通常輝度モードの照明光を自動及び手動調光する内視鏡用光源装置に関する。
【０００２】
【従来の技術】
近年、管腔内に挿入部を挿入し観察部位を撮像する内視鏡装置が広く用いられる用になってきた。
【０００３】
図４に示すように、従来の内視鏡装置１００は、管腔内に挿入する挿入部１０１と挿入部１０１の基端側に着脱自在に接続され管腔内の観察部位１０２を撮像する外付けＴＶカメラ１０３を有する内視鏡１０４と、この内視鏡１０４に照明光を供給する光源装置１０５と、外付けＴＶカメラ１０３からの撮像信号を信号処理しモニタ１０６に内視鏡画像を表示させるカメラコントロールユニット（以下、ＣＣＵと記す）１０７等から構成される。
【０００４】
ＣＣＵ１０７では、ＣＣＤドライバ１０８で外付けＴＶカメラ１０３のＣＣＤ（図示せず）を駆動し撮像信号を得、この撮像信号を画像処理回路１０９で信号処理することにより内視鏡画像を生成する。また、モニタ１０６の内視鏡画像の明るさを抽出し光源装置１０５に明るさ信号１１０を出力する明るさ抽出回路１１１が設けられている。
【０００５】
一方、光源装置１０５では、まず、ランプ用電源１２０により駆動されたランプ１２１から出た照明光は絞り羽根１２２を通り、内視鏡１０４の挿入部１０１内を挿通するライトガイド１２３の入射端面へ入射される。その後、照明光はライトガイド１２３により内視鏡１０４の挿入部１０１先端へと導かれ観察部位１０２を照らし、この観察部位１０２からの反射光を外付けＴＶカメラ１０３で撮像する。
【０００６】
ＣＣＵ１０７からの明るさ信号１１０は、光源装置１０５内の調光回路１２４に入力され、調光回路１２４ではフロントパネル１２５でユーザによって設定される希望の明るさである調光基準信号１２６をＣＰＵ１２７より取り込んで、調光基準信号１２６と明るさ信号１１０を比較し、明るさ信号１１０が調光基準信号１２６と一致するように絞り羽根１２２を駆動する。
【０００７】
これにより観察部位１０２への照明光量が調整されるため、モニタ１０６上の画像が常に調光基準信号で決められる明るさに調整されることになる。
【０００８】
ところで、内視鏡装置においては、ランプからの出射光をフルに使用する高輝度モードの内視鏡と、ランプからの出射光をある一定光量以下で使用する通常モードの内視鏡がある。
【０００９】
そこで、従来の内視鏡装置においては、高輝度ライトガイド検知回路１３１によりライトガイド１２３が高輝度モード用であるか、通常モード用であるかを判別し、ライトガイド１２３が高輝度モード用の場合は、減光メッシュドライバ１３２により、減光メッシュ１３３を光路より外すように動作させる。この結果、絞り羽根１２２が全開となった場合には、ランプ１２１からの出射光が全てライトガイド１２３へ入射する。
【００１０】
一方、ライトガイド１２３が通常モード用であった場合には、減光メッシュドライバ１３２により、減光メッシュ１３３を光路へ挿入することにより、ランプ１２１からの出射光量を制限するため、絞り羽根１２２が全開となった場合でもライトガイド１２３への入射光量が制限されることになる。
【００１１】
すなわち、従来は高輝度モード、通常モード時における光量制限は光路へ減光メッシュ１３３を挿抜することで行っていた。
【００１２】
具体的な従来例として例えば特開昭６０−３２０１７号公報では、ライトガイド端面の熱の問題等によりライトガイドヘの入射光料を減光性のスリガラスや、メッシュフィルタ等により減光を行うことが記されている。
【００１３】
【発明が解決しようとする課題】
しかしながら、従来の光源装置では、通常モード時のメッシュ方式として減光性のスリガラスやメッシュフィルタを光路中に挿抜することで行っていたため、構造が大掛かりでコスト高になったり、光路長が長くなることで装置の小型化が難しいといった問題がある。
【００１４】
本発明は、上記事情に鑑みてなされたものであり、高輝度モード及び通常輝度モードの照明光を自動及び手動調光する場合においても、構造が簡単で安価で小型に構成することのできる内視鏡用光源装置を提供することを目的としている。
【００１５】
【課題を解決するための手段】
本発明による内視鏡用光源装置は、内視鏡に供給し被写体を照明するための照明光を発光するランプと、前記照明光を前記内視鏡の先端まで導く光ファイバへ入射する際の光量を調整する絞り手段と、前記絞り手段の絞り量を検出する絞り位置検知手段と、前記照明光の最大光量を入射することのできる高輝度モード対応の光ファイバか、前記照明光を減光してから入射しなくてはならない通常モード対応の光ファイバかの光ファイバの種類を検出する光ファイバ検出手段と、前記絞り手段による減光を行う際の基準となる減光量設定手段と、前記内視鏡により得られた内視鏡画像の明るさ信号及び所定の明るさ設定信号に基づき前記被写体での照明量が一定となるように前記絞り手段を駆動する自動調光手段と、前記被写体への照明量が一定となるように前記所定の明るさ設定信号に基づき前記絞り手段を駆動する手動調光手段と、前記自動調光手段による調光と前記手動調光手段による調光とを選択する調光選択手段と、前記自動調光手段及び前記手動調光手段の前記所定の明るさ設定信号を設定する明るさ設定手段と、前記明るさ設定手段の出力と前記減光量設定手段の出力とを比較した結果、前記明るさ設定手段の設定する前記絞り手段の絞りの位置が前記減光量設定手段による設定位置より開く側にあると判断された場合に、前記減光量設定手段の出力に切り換え、閉じる側にあると判断された場合に、前記手動調光手段の出力に切り換える第１の切り換え手段と、前記絞り位置検知手段の出力と前記減光量設定手段の出力とを比較した結果、前記絞り手段の絞りの位置が前記減光量設定手段による設定位置より閉じる側にあると判断された場合に、前記自動調光手段の出力に切り換え、開く側にあると判断された場合に、前記第１の切り換え手段の出力に切り換える第２の切り換え手段と、前記光ファイバ検出手段の検出結果及び前記調光選択手段の選択結果に基づき、前記第１の切り換え手段及び第２の切り換え手段の切り換え制御を行う切り換え制御手段とを備えたことを特徴とする。
【００１６】
前記切り換え制御手段は、前記光ファイバの種類が高輝度モード対応で、且つ、前記調光選択手段で前記自動調光手段が選択されている時、前記第１の切り換え手段の出力を前記減光量設定手段の出力に切り換え、前記第２の切り換え手段の出力を前記自動調光手段の出力に切り換えることを特徴とする。
また、前記切り換え制御手段は、前記光ファイバの種類が通常モード対応で、且つ、前記調光選択手段で前記自動調光手段が選択されている時、前記第１の切り換え手段の出力を前記減光量設定手段の出力に切り換え、前記絞り位置検知手段の出力と前記減光量設定手段の出力とを比較した結果に基づき前記第２の切り換え手段の出力を切り換えることを特徴とする。
更に、前記切り換え制御手段は、前記光ファイバの種類が高輝度モード対応で、且つ、前記調光選択手段で前記手動調光手段が選択されている時、前記第１の切り換え手段の出力を前記手動調光手段の出力に切り換え、前記第２の切り換え手段の出力を前記第１の切り換え手段の出力に切り換えることを特徴とする。
また更に、前記切り換え制御手段は、前記光ファイバの種類が通常モード対応で、且つ、前記調光選択手段で前記手動調光手段が選択されている時、前記第２の切り換え手段の出力を前記第１の切り換え手段の出力に切り換え、前記明るさ設定手段の出力と前記減光量設定手段の出力とを比較した結果に基づき前記第１の切り換え手段の出力を切り換えることを特徴とする。
【００１７】
【発明の実施の形態】
以下、図面を参照しながら本発明の実施の形態について述べる。
【００１８】
図１は本発明の第１の実施の形態に係る内視鏡装置の構成を示す構成図である。
【００１９】
図１に示すように、本実施の形態の内視鏡装置１は、管腔内に挿入する挿入部２と挿入部２の基端側に着脱自在に接続され管腔内の観察部位３を撮像する外付けＴＶカメラ４を有する内視鏡５と、この内視鏡５に照明光を供給する光源装置６と、外付けＴＶカメラ４からの撮像信号を信号処理しモニタ７に内視鏡画像を表示させるカメラコントロールユニット（以下、ＣＣＵと記す）８とから構成される。
【００２０】
ＣＣＵ８では、ＣＣＤドライバ９で外付けＴＶカメラ４のＣＣＤ（図示せず）を駆動し撮像信号を得、この撮像信号を画像処理回路１０で信号処理することにより内視鏡画像を生成する。また、モニタ７の内視鏡画像の明るさを抽出し光源装置６に明るさ信号１１を出力する明るさ抽出回路１２が設けられている。
【００２１】
一方、光源装置６では、まず、ランプ用電源２０により駆動されたランプ２１から出た照明光は絞り羽根２２を通り、内視鏡５の挿入部２内を挿通するライトガイド２３の入射端面へ入射される。その後、照明光はライトガイド２３により内視鏡５の挿入部２先端へと導かれ観察部位３を照らし、この観察部位３からの反射光を外付けＴＶカメラ４で撮像する。
【００２２】
光源装置６では、自動調光と手動調光の切り換え及び高輝度モード、通常モード時における光量制御を行うようになっている。
【００２３】
ここで、自動調光とは、モニタ７上の明るさを示す明るさ信号１１がフロントパネル２４で設定される明るさ設定信号の明るさとなるように絞り羽根２２を駆動し、常にモニタ７上の明るさを一定に保つ機能である。一方、手動調光とはフロントパネル２４で設定される明るさ設定信号に対応した光量を固定で出射するように絞り羽根２２を駆動するものである。
【００２４】
そのため、光源装置６には、高輝度ライトガイド検知回路２５からの検知信号２５ａによりライトガイド２３が高輝度モード用であるか、通常モード用であるかを判別すると共に、フロントパネル２４で設定される明るさ設定信号を読み取るＣＰＵ２６が設けられている。
【００２５】
ＣＰＵ２６はフロントパネル２４で設定される明るさ設定信号に応じたデジタル信号２８をＤ／Ａ変換器２９に出力し、Ｄ／Ａ変換器２９ではアナログ信号となった明るさ設定信号３０を比較器３１に出力するようになっている。
【００２６】
比較器３１ではこの明るさ設定信号３０とＣＣＵ８からの明るさ信号１１とを比較し、スイッチ３２を介して比較結果を絞り羽根２２を駆動する絞り羽根ドライバ３３に出力するようになっている。
【００２７】
また、基準電圧３９と明るさ設定信号３０とを切り換えてスイッチ３２に出力するスイッチ３４が設けられており、スイッチ３２はこのスイッチ３４の出力と比較器３１の出力を切り換えて絞り羽根ドライバ３３に出力する。
【００２８】
スイッチ３２及びスイッチ３４の切り換え制御は、ＣＰＵ２６により制御されるモード制御回路３５により行われ、ＣＰＵ２６はフロントパネル２４で設定される自動調光か手動調光かを示す自動／手動設定信号と高輝度ライトガイド検知回路２５からの検知信号２５ａによりライトガイド２３が高輝度モード用であるか、通常モード用であるかを判別する判別信号とに基づく制御信号３６，３７をモード制御回路３５に出力するようになっている。
【００２９】
また、モード制御回路３５には、絞り羽根２２に設けられた絞り開口位置を検出する例えばエンコーダ等から構成される公知の開口位置検出装置（図示せず）からの絞り位置信号３８が入力されており、モード制御回路３５は絞り羽根２２の開口状態を検知することができるようになっている。
【００３０】
次に、このように構成された本実施の形態の作用について説明する。
【００３１】
まずは、自動調光で高輝度モードの場合の光源装置６の調光制御を説明する。ライトガイト２３が高輝度モード対応であることを高輝度ライトガイド検知回路２５により検知し、検知信号２５ａによりＣＰＵ２６へ知らせる。また、フロントパネル２４で自動調光に設定されたことを自動／手動設定信号によりＣＰＵ２６で認識する。
【００３２】
そして、ＣＰＵ２６が制御信号３６により高輝度用のライトガイド２３が接続されたことを、また制御信号３７により自動調光であることをモード制御回路３５へ知らせることにより、モード制御回路３５ではスイッチ３２をａ側、スイッチ３４をｄ側へ固定する。
【００３３】
そのため、絞り羽根２２は常に比較器３１の出力である自動調光信号４０により駆動させるため、絞り羽根２２の全閉から全開まで可動範囲全てを使用した自動調光が行われる。
【００３４】
次に、自動調光で通常モードの場合の光源装置６の調光制御を説明する。高輝度ライトガイド検知回路２５によりライトガイド２３が高輝度モード対応でないことを検知し、ＣＰＵ２６へ知らせる。また、フロントパネル２４で自動調光に設定されたことを自動／手動設定信号によりＣＰＵ２６で認識する。
【００３５】
次に、ＣＰＵ２６は、制御信号３６により高輝度モード対応以外のライトガイドが接続されたことを、また制御信号３７により自動調光であることをモード制御回路３５へ知らせる。
【００３６】
そして、モード制御回路３５により、まずはスイッチ３２をａ側、スイッチ３４をｄ側に固定し、比較器３１の出力である自動調光信号４０による自動調光を行うが、モード制御回路３５では絞り位置信号３８と基準電圧３９とを比較し、基準電圧３９で設定した位置より絞り羽根２２が開こうとした時は、スイッチ３２をｂ側へ切り換えることでスイッチ３４のｄ側、つまり基準電圧３９で設定される位置で絞り羽根２２を固定させる。
【００３７】
次にモード制御回路３５では、自動調光信号４０を監視し、絞り羽根２２をある一定量以上閉じさせようとした場合、つまり明るさ信号１１が明るさ設定信号３０よりある一定量以上明るくなった場合にスイッチ３２をａ側に復帰させ、自動調光の動作を再開させる。
【００３８】
以上説明した動作を繰り返すことにより、基準電圧３９で規定される開口位置より絞り羽根２２が閉じる方向に位置する時は自動調光を行い、基準電圧３９で規定される開口位置より絞り羽根２２が開こうとした場合には、基準電圧３９で規定される開口位置で固定され、絞り羽根３の動作範囲が規制される。よって、通常モード時における最大出射光量は、基準電圧３９で決められ絞り羽根２２の開口位置で規制されることになる。
【００３９】
次に、手動調光で高輝度モードの場合の光源装置６の調光制御を説明する。ライトガイト２３が高輝度モード対応であることを高輝度ライトガイド検知回路２５により検知し、検知信号２５ａによりＣＰＵ２６へ知らせる。また、フロントパネル２４で手動調光に設定されたことを自動／手動設定信号によりＣＰＵ２６で認識する。
【００４０】
そして、ＣＰＵ２６は、制御信号３６により高輝度ライトガイドが接続されたことを、また制御信号３７により手動調光であることをモード制御回路３５へ知らせることにより、モード制御回路３５ではスイッチ３２をｂ側、スイッチ３４をｃ側へ固定し、明るさ設定信号３０により決まる位置へ絞り羽根２２を固定するように動作する。
【００４１】
尚、明るさ設定信号３０はフロントパネル２４で設定される明るさの設定値に対応して、予めＣＰＵ２６内に用意してある表１に示すテーブルの値を読み出し、Ｄ／Ａ変換器２９へ前記テーブルの値を出力することにより設定される。
【００４２】
【表１】
0003668414.tif 000002
次に、手動調光で通常モードの場合の光源装置６の調光制御を説明する。高輝度ライトガイド検知回路２５によりライトガイド２３が高輝度モード対応でないことを検知し、ＣＰＵ２６へ知らせる。また、フロントパネル２４で手動調光に設定されたことを自動／手動設定信号によりＣＰＵ２６で認識する。
【００４３】
次に、ＣＰＵ２６は、制御信号３６により高輝度モード対応以外のライトガイドが接続されたことを、また制御信号３７により手動調光であることをモード制御回路３５へ知らせる。
【００４４】
そして、モード制御回路３５により、まずはスイッチ３２をｂ側、スイッチ３４をｃ側に固定し、明るさ設定信号３０が基準電圧３９より閉じる側の設定値の場合には、絞り羽根２２がその明るさ設定信号３０に応じた開口位置となるように手動調光を行う。
【００４５】
一方、明るさ設定信号３０が基準電圧３９より開く側の設定値の場合には、スイッチ３４をｄ側へ切り換えることにより、基準電圧３９で設定される位置で絞り羽根２２を固定するように動作する。そして、明るさ設定信号３０が基準電圧３９より閉じる側の設定値となった場合には、スイッチ３４をｃ側へ復帰させ、明るさ設定信号３０に応じた開口位置となるように手動調光を行う。
【００４６】
以上の動作により、手動調光時の絞りの動作範囲を全閉から基準電圧３９による開口位置の間に制限できるようになる。
【００４７】
このように本実施の形態では、通常モード時は絞り羽根２２の開口位置を常に監視し、予め決められた開口位置より開こうとした場合にそれ以上開かないように制限を行うため、調光用の絞り羽根２２のみで通常モードに必要な減光動作が行えるようになり、従来必要であった減光用のスリガラスやメッシュフィルタが不要となる。そのため、減光用のスリガラスやメッシュフィルタとそれらを光路へ挿抜するための駆動手段の分だけコストを削滅できると同時に、光路長も短くできるようになり、装置全体のサイズも小さくできる。また、自動調光時と手動調光時で同様の基準信号を使用しているため、自動／手動の調光方式に関わらず通常モードの減光率を一定とすることができる。
【００４８】
図２及び図３は本発明の第２の実施の形態に係わり、図２は内視鏡装置の構成を示す構成図、図３は図２の可動ストッパを説明する図である。
【００４９】
第２の実施の形態は、第１の実施の形態とほとんど同じであるので、異なる点のみ説明し、同一の構成には同じ符号をつけ説明は省略する。
【００５０】
本実施の形態の光源装置６では、図２に示すように、ＣＣＵ８からの明るさ信号１１は、光源装置６内の調光回路５１に入力され、調光回路５１ではフロントパネル２４でユーザによって設定される希望の明るさである明るさ設定信号３０をＣＰＵ２６より取り込んで、明るさ設定信号３０と明るさ信号１１を比較し、明るさ信号１１が明るさ設定信号３０と一致するように絞り羽根２２を駆動する。
【００５１】
絞り羽根２２には、開口量を規制する可動ストッパ５２が設けられ、この可動ストッパ５２は高輝度ライトガイド検知回路２５からの検知信号２５ａにより、ストッパ制御回路５３により制御される。
【００５２】
詳細には、まず絞り羽根２２は板金５６に回動自在に設けられ、板金５６の面には絞り羽根２２に対して図３のような配置で２つの固定ストッパ５４，５５と可動ストッパ５２が取り付けられている。可動ストッパ５２はストッパ制御回路５３により、絞り羽根２２が取り付けられている板金５６の面に対して図３のように挿抜できる構造になっている。
【００５３】
通常は、可動ストッパ５２は板金５６の面より飛ぴ出ていない状態であるため、絞り羽根２２は板金５６より突出した固定ストッパ５４，５５の間で動作が可能であるが、可動ストッパ５２の挿入時は絞り羽根２２が可動ストッパ５２に当たるようになるため、動作範囲が限定される。
【００５４】
例えば図３のように絞り羽根２２が固定ストッパ５４の近傍にある時に可動ストッパ５２を挿入した場合は、絞り羽根２２は固定ストッパ５４と可動ストッパ５２の間でしか動作できなくなる。よって、可動ストッパ５２を挿抜することにより、絞り羽根２２の動作範囲を制御できることになる。
【００５５】
具体的は、ライトガイド２３として高輝度モード対応のものが接続された場合には、ストッパ制御回路５３では可動ストッパ５２を抜去させるため、絞り羽根２２は固定ストッパ５４，５５の間で動作可能となり、全閉から全開までを使用して調光が可能となる。
【００５６】
一方、ライトガイド２３として通常モード対応のものが接続された場合には、ストッパ制御回路５３は調光回路５１に全閉信号３６を出力し、調光回路５１はこの全閉信号３６により絞り羽根２２を一旦強制的に全閉とさせる。次にその状態でストッパ制御回路５３より可動ストッパ５２を挿入させるように動作させた後、全閉信号３６を解除する。以上の動作により、絞り羽根２２は固定ストッパ５４と可動ストッパ５２の間でしか動作できなくなり、例えこの状態で全開になったとしても可動ストッパ５２以上は絞り羽根２２は開くことができなくなるため、最大出射光量を制限することができる。
【００５７】
このように本実施の形態では、通常モード時には可動ストッパ５２を絞り羽根２２の動作範囲内に挿入することにより、物理的に絞り羽根２２の動作範囲の制限を行うため、調光用の絞り羽根２２のみで通常モードに必要な減光動作が行えるようになり、従来必要であった滅光用のスリガラスやメッシュフィルタが不要となり、第１の実施の形態と同様に、そのため、減光用のスリガラスやメッシュフィルタとそれらを光路へ挿抜するための駆動手段の分だけコストを削減できると同時に、光路長も短くできるようになり、装置全体のサイズも小さくできる。また、絞り羽根２２に直接規制を行う構成のため、調光方式に関わらず減光率を一定とすることができる。
【００５８】
【発明の効果】
以上説明したように本発明によれば、高輝度モード及び通常輝度モードの照明光を自動及び手動調光する場合においても、構造が簡単で安価で小型に構成することができるという効果がある。
【図面の簡単な説明】
【図１】本発明の第１の実施の形態に係る内視鏡装置の構成を示す構成図
【図２】本発明の第２の実施の形態に係る内視鏡装置の構成を示す構成図
【図３】図２の可動ストッパを説明する図
【図４】従来の内視鏡装置の構成を示す構成図
【符号の説明】
１…内視鏡装置
５…内視鏡
６…光源装置
８…ＣＣＵ
２１…ランプ
２２…絞り羽根
２３…ライトガイド
２４…フロントパネル
２５…高輝度ライトガイド検知回路
２６…ＣＰＵ
２９…Ｄ／Ａ変換器
３１…比較器
３２，３４…スイッチ
３３…絞り羽根ドライバ
３５…モード制御回路
【図１】
0003668414.tif 000003
【図２】
0003668414.tif 000004
【図３】
0003668414.tif 000005
【図４】
0003668414.tif 000006